【手続補正書】
【提出日】平成18年10月30日(2006.10.30)
【手続補正１】
【補正対象書類名】特許請求の範囲
【補正対象項目名】全文
【補正方法】変更
【補正の内容】
【特許請求の範囲】
【請求項１】
ＵＳＢ定義のバスを特徴とするＵＳＢフラッシュシステムであって：
（ａ）  フラッシュメモリ装置であって：
（ｉ）  データを格納するための少なくとも一つのフラッシュメモリ・モジュール；
（ｉｉ）  ＵＳＢ定義のバスに接続するためのＵＳＢ標準による電気インターフェースおよび論理インターフェースを含むフラッシュ装置制御器であって、前記少なくとも一つのフラッシュメモリ・モジュールに対してデータを書き込みまたは読み出すように、前記ＵＳＢ定義のバスから受け取った少なくとも一つのパケットにより、前記少なくとも一つのフラッシュメモリ・モジュールを制御するために適合されたフラッシュ装置制御器；
を有するフラッシュメモリ装置と、
（ｂ）携帯電話ホストプラットホームであって：
（ｉ）  ＵＳＢプロトコルを用いて前記フラッシュメモリ装置を制御するために適合されたＵＳＢホスト制御器；および、
（ｉｉ）  前記ＵＳＢ定義のバス
を有する携帯電話ホストプラットホームと、
から構成されるＵＳＢフラッシュシステム。
【請求項２】
ＵＳＢフラッシュシステムであって：
（ａ）  フラッシュメモリ装置であって：
（ｉ）  データを格納するための少なくとも一つのフラッシュメモリ・モジュール；
（ｉｉ）ＵＳＢ定義のバスに接続するためのＵＳＢ標準による電気インターフェースおよび論理インターフェースを含むフラッシュ装置制御器であって、前記少なくとも一つのフラッシュメモリ・モジュールに対してデータを書き込みまたは読み出すように、ホストから受け取った少なくとも一つのパケットにより、前記少なくとも一つのフラッシュメモリ・モジュールを制御するために適合されたフラッシュ装置制御器；
を有するフラッシュメモリ装置と、
（ｂ）  携帯電話ホストプラットホームであって：
（ｉ）  ＵＳＢプロトコルを用いて前記フラッシュメモリ装置を制御するために適合されたＵＳＢホスト制御器
を有する携帯電話ホストプラットホームと、
から構成されるＵＳＢフラッシュシステム。
【請求項３】
ＵＳＢフラッシュシステムであって：
（ａ）  フラッシュメモリ装置であって：
（ｉ）  データを格納するための少なくとも一つのフラッシュメモリ・モジュール；
（ｉｉ）  ＵＳＢ標準によるＵＳＢの機能性をサポートするために適合され、また、前記少なくとも一つのフラッシュメモリ・モジュールに対してデータを書き込みまたは読み出すように、ホストから受け取った少なくとも一つのパケットによって前記少なくとも一つのフラッシュメモリ・モジュールを制御するために適合されたフラッシュ装置制御器；
を有するフラッシュメモリ装置と、
（ｂ）  携帯電話ホストプラットホームであって：
（ｉ）  ＵＳＢプロトコルを用いて前記フラッシュメモリ装置を制御するために適合されたＵＳＢホスト制御器
を有する携帯電話ホストプラットホームと、
から構成されるＵＳＢフラッシュシステム。
【請求項４】
前記少なくとも一つのフラッシュメモリ・モジュールが、少なくとも１６ＭＢで構成される請求項１〜３のいずれか一項に記載のＵＳＢフラッシュシステム。
【請求項５】
前記フラッシュ装置制御器が、単一のＡＳＩＣで構成される請求項１〜４のいずれか一項に記載のＵＳＢフラッシュシステム。
【請求項６】
前記フラッシュ装置制御器が、標準のブロックデバイスとして前記ＵＳＢホスト制御器と通信する請求項１〜５のいずれか一項に記載のＵＳＢフラッシュシステム。
【請求項７】
前記ＵＳＢホスト制御器が、ＵＳＢデータパケットにカプセル化された書き込みパケットを用いて前記フラッシュ装置制御器と通信する請求項１〜６のいずれか一項に記載のＵＳＢフラッシュシステム。
【請求項８】
前記フラッシュ装置制御器が、フラッシュディスクとして前記ＵＳＢホスト制御器と通信する請求項１〜７のいずれか一項に記載のＵＳＢフラッシュシステム。
【請求項９】
前記ホストプラットホームが、ウインドウズＣＥ（登録商標）オペレーティングシステムを有する請求項１〜８のいずれか一項に記載のＵＳＢフラッシュシステム。
【請求項１０】
前記フラッシュ装置制御器が、フラッシュソフトウェア管理システムを実装する請求項１〜９のいずれか一項に記載のＵＳＢフラッシュシステム。
【請求項１１】
前記ホストが、前記フラッシュメモリ装置と通信するためのいくつかの採用可能なプロトコルの一つに適合された請求項１〜１０のいずれか一項に記載のＵＳＢフラッシュシステム。
【請求項１２】
前記フラッシュメモリ装置が、前記携帯電話ホストに接続可能である請求項１〜１１のいずれか一項に記載のＵＳＢフラッシュシステム。
【請求項１３】
前記フラッシュメモリ装置が、前記ホスト制御器への識別データの伝送に適合された請求項１〜１２のいずれか一項に記載のＵＳＢフラッシュシステム。
【請求項１４】
前記ホストが、前記識別データに基づいて前記フラッシュメモリ装置にアクセスする請求項１３に記載のＵＳＢフラッシュシステム。
【請求項１５】
前記フラッシュメモリに音声データを格納するように構成された請求項１〜１４のいずれか一項に記載のＵＳＢフラッシュシステム。
【請求項１６】
前記フラッシュメモリに圧縮された映像を格納するように構成された請求項１〜１５のいずれか一項に記載のＵＳＢフラッシュシステム。
【請求項１７】
前記フラッシュメモリにオーディオデータを格納するように構成された請求項１〜１６のいずれか一項に記載のＵＳＢフラッシュシステム。
【請求項１８】
前記フラッシュ装置制御器が、前記ホストの論理アドレス空間におけるアドレスと、前記フラッシュメモリ装置の物理アドレス空間におけるアドレスとの間で変換する請求項１〜１７のいずれか一項に記載のＵＳＢフラッシュシステム。
【請求項１９】
携帯電話と、
ＵＳＢプロトコルを用いた通信に適合されたフラッシュディスクとから構成される携帯電話システム。
【請求項２０】
携帯電話と、
複数の採用可能なプロトコルを用いた通信に適合されたフラッシュディスクとから構成される携帯電話システム。
【請求項２１】
少なくとも一つの前記プロトコルが、ＵＳＢプロトコルで構成される請求項２０に記載の携帯電話システム。
【請求項２２】
少なくとも一つの前記プロトコルが、パケットベースのプロトコルで構成される請求項２０に記載の携帯電話システム。
【請求項２３】
少なくとも一つの前記プロトコルが、ブロック・デバイスプロトコルで構成される請求項２０に記載の携帯電話システム。
【請求項２４】
フラッシュメモリ装置を使用するための方法であって：
フラッシュメモリ装置に外部データコネクタおよびフラッシュメモリを設け；
前記装置を携帯電話に接続し；そして
ＵＳＢプロトコルを用いて前記携帯電話から前記フラッシュメモリにアクセする方法。
【請求項２５】
前記装置が、単一の装着自在／取り外し自在の装置である請求項２４に記載の方法。
【請求項２６】
フラッシュメモリ装置を使用するための方法であって：
フラッシュメモリ装置に外部コネクタを設け；
前記装置を携帯電話ホストシステムのＵＳＢバスに接続し；そして
前記携帯電話から前記フラッシュメモリ装置にハードディスクとしてアクセする方法。
【請求項２７】
前記フラッシュメモリ装置が、統合された着脱自在なフラッシュメモリ装置である請求項２６に記載の方法。
【請求項２８】
ＵＳＢ定義のバスを特徴とするＵＳＢフラッシュシステムであって：
（ａ）  フラッシュメモリ装置であって：
（ｉ）  データを格納するための少なくとも一つのフラッシュメモリ・モジュール；
（ｉｉ）  ＵＳＢ定義のバスに接続し、このＵＳＢ定義のバスにパケットを送り出し、そして、このＵＳＢ定義定義のバスからパケットを受け取るためのフラッシュ装置コネクタ；および、
（ｉｉｉ）  前記少なくとも一つのフラッシュメモリ・モジュールを制御するために、また、前記少なくとも一つのフラッシュメモリ・モジュールに対してデータを書き込みまたは読み出すように、ＵＳＢ定義のバスから受け取った少なくとも一つのパケットにより、前記コネクタを制御するために用いられるＵＳＢフラッシュ装置制御器
を有するフラッシュメモリ装置と、
（ｂ）  前記フラッシュメモリ装置と通信するための携帯電話ホストプラットホームであって：
（ｉ）  前記ホストプラットホームを制御するためのＵＳＢホスト制御器；および、
（ｉｉ）  ＵＳＢ定義のバスに接続するためのホストコネクタ
を有する携帯電話ホストプラットホームと、
から構成されるＵＳＢフラッシュシステム。
【請求項２９】
ＵＳＢフラッシュシステムであって：
（ｉ）  単一の外部コネクタを有する単一の統合ユニットとして提供され、ＵＳＢ定義のバスに接続するためのＵＳＢフラッシュメモリ装置であって：
（ａ）  少なくとも一つのフラッシュメモリ・モジュール；
（ｂ）  ＵＳＢ定義のバスに接続するために適合されたＵＳＢコネクタである、ただ一つの外部コネクタ；
（ｃ）  ブロックデバイス・インターフェースを提供することにより、前記ＵＳＢコネクタを介してホストをこのインターフェースで連結し、そして、前記少なくとも一つのフラッシュメモリ・モジュールに対して少なくとも読み出し若しくは書き込みを行うＵＳＢ制御器
を有し、
前記制御器が、前記ＵＳＢコネクタを介してアプリケーションパケットとして受け取った読み出しまたは書き込みブロックコマンドを、前記少なくとも一つのフラッシュメモリ・モジュールに対する動作に翻訳するコマンドインタプリタを備え、そして、
前記フラッシュメモリ装置がＵＳＢフラッシュディスクから構成されるＵＳＢフラッシュメモリ装置と、
（ｉｉ）  前記ＵＳＢフラッシュメモリ装置に対してホストとして動作する携帯電話と、
から構成されるＵＳＢフラッシュシステム。